(57)【要約】【課題】  レバータンブラー錠或いはロータリーディスクタンブラー錠の不正解錠に対する抵抗性を高め、安全性を向上させる。【解決手段】  市販されている鍵の複製用具が、偏平の細線を、鍵孔に挿入された細いパイプを通して、レバータンブラー錠の仕切板３とレバータンブラー１１の間の隙間に差し込み、レバータンブラーの解錠切欠９の角度位置を検知することにより鍵違いを得るので、少なくとも１個のレバータンブラー１１の自由端部の、少なくとも室内側の面に、内筒半径方向に延在する係止溝１９を形成し、レバータンブラーの解錠切欠９の角度位置を探るセンサーとしての偏平の細線をこの係止溝１９に拘束する。【選択図】  図４
2005213807.tif 000002
【特許請求の範囲】
【請求項１】
内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものにおいて、少なくとも１個のレバータンブラーの自由端部の、少なくとも室内側の面に、内筒半径方向に延在する係止溝を形成したことを特徴とするシリンダ錠。
【請求項２】
内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものにおいて、少なくとも１個のロータリーディスクタンブラーの自由端部の、少なくとも室内側の面に、内筒半径方向に延在する係止溝を形成したことを特徴とするシリンダ錠。
【請求項３】
上記係止溝の横断面形状を鋸歯形とし、その垂辺を解錠切欠に向けたことを特徴とする請求項１又は２に記載のシリンダ錠。
【請求項４】
内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものにおいて、少なくとも１個のレバータンブラーの自由端部の、少なくとも室内側の面に、解錠切欠を包囲する少なくとも１個の凹陥部を形成したことを特徴とするシリンダ錠。
【請求項５】
内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものにおいて、少なくとも１個のロータリーディスクタンブラーの自由端部の、少なくとも室内側の面に、解錠切欠を包囲する少なくとも１個の凹陥部を形成したことを特徴とするシリンダ錠。
【請求項６】
上記凹陥部の横断面形状を鋸歯形とし、その垂辺を外側に向けたことを特徴とする請求項４又は５に記載のシリンダ錠。
【発明の詳細な説明】
【技術分野】
【０００１】
この発明は、シリンダ錠に係り、特に、不正解錠に対する抵抗性を高め、安全性を向上させたシリンダ錠に関する。
【背景技術】
【０００２】
シリンダ錠には種々の形式のものがあるが、その一つであるレバータンブラー錠は、図１及び図２に示すように、内周面の母線に沿ってカム溝１を形成した外筒２と、この外筒に回転自在に嵌合し、間隙を介して中心軸線方向に積層された複数の仕切板３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【０００３】
また、仕切板の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【０００４】
そして、これらのタンブラー群の夫々が鍵孔に挿通された合鍵の対応する鍵溝と係合したとき、各レバータンブラー１１の解錠切欠９がロッキングバー６の内側縁と整合する（図示せず）ように構成されている。
【０００５】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればレバータンブラー錠は解錠状態となって内筒５は解錠方向に回動する。
【０００６】
なお、図１及び図２において、符号１２はレバータンブラー１１、１１の一端を共通に貫通してこれらを回動自在に支承する支軸を示す。
【０００７】
また、シリンダ錠の他の形式のものであり、本出願人が後記特許文献１によって提案したロータリーディスクタンブラー錠は、図３に示すように、中央部に鍵孔を包囲し得る大きさの鍵挿通孔１３を形成した環状のロータリーディスクタンブラー１４を挿設し、その実体部の１ヵ所を、内筒を軸線方向に貫通する支軸１２に揺動可能に軸支すると共に、自由端部外側端縁に解錠切欠９を形成し、一方、鍵挿通孔の開口端縁に、先端の移動軌跡が鍵孔４に挿入された合鍵１５のブレードの平面部又は端縁部と干渉する係合突起１６を一体に突設し、各ロータリーディスクタンブラー１４をこの係合突起が合鍵に近接する方向に付勢している。
【０００８】
そして、常態ではロータリーディスクタンブラー１４を内筒を軸線方向に貫通するバックアップピン８に係止し、他方、これらのタンブラー群の係合突起の夫々が鍵孔に挿通された合鍵のブレードに形成された対応する窪み１７と係合したとき、各ロータリーディスクタンブラーの解錠切欠がロッキングバーの内側縁と整合するようにしたものである。
【０００９】
なお、図３において符号１８は係合突起１６を合鍵方向に付勢する板ばねである。
【００１０】
上記した構成のレバータンブラー錠及びロータリーディスクタンブラー錠は、作動の確実性及び使用感が優れていることから、住戸の錠前の主流になりつつある。
【００１１】
しかしながら、近年、後記特許文献２に記載された鍵の複製用具が提案され、かつ市販されている如くである。
【００１２】
この鍵の複製用具は、本出願人の製造販売に係る上記レバータンブラー錠用の鍵の複製用具であり、また、ロータリーディスクタンブラー錠にも適用可能である。
【００１３】
そして、この複製用具を用いると、鍵を紛失したり鍵を室内に置き忘れたまま施錠した場合に簡単に鍵の複製ができる、という効果をうたってはいるが、これを犯罪者が手にすれば、不正解錠が容易になる、換言すれば公序良俗に反する器具になる。
【特許文献１】特開２００３−２２６８３３公報
【特許文献２】登録実用新案第３０６３９９０号公報
【発明の開示】
【発明が解決しようとする課題】
【００１４】
そこで、この発明は、上記特許文献２に記載の鍵の複製用具によって鍵違いを探られないようにしたシリンダ錠を提供し、以てシリンダ錠の安全性を高めることを目的としている。
【課題を解決するための手段】
【００１５】
上記の目的を達成するため、請求項１に記載の発明は、内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものにおいて、少なくとも１個のレバータンブラーの自由端部の、少なくとも室内側の面に、内筒半径方向に延在する係止溝を形成したことを特徴とする。
【００１６】
また、請求項２に記載の発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものにおいて、少なくとも１個のロータリーディスクタンブラーの自由端部の、少なくとも室内側の面に、内筒半径方向に延在する係止溝を形成したことを特徴とする。
【００１７】
更にまた、請求項４に記載の発明は、内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものにおいて、少なくとも１個のレバータンブラーの自由端部の、少なくとも室内側の面に、解錠切欠を包囲する少なくとも１個の凹陥部を形成したことを特徴とする。
【００１８】
請求項５に記載の発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたものにおいて、少なくとも１個のロータリーディスクタンブラーの自由端部の、少なくとも室内側の面に、解錠切欠を包囲する少なくとも１個の凹陥部を形成したことを特徴とする。
【発明の効果】
【００１９】
上記のように構成された請求項１又は２に記載の発明によるシリンダ錠は、鍵孔から薄平の細線を入れ、この細線を仕切板とレバータンブラーとの隙間からタンブラーの自由端側に差込み、その解錠切欠の角度位置を探る上記特許文献２に記載の鍵の複製用具のを使用する際、センサーとしての細線の先端が係止溝に引っ掛かり、スムーズに解錠切欠の位置まで細線を移動させることができない。
【００２０】
このため、センサーを出し入れしながら係止溝を避けて解錠切欠の位置を探らねばならず、結局非常に時間が掛かるため前記鍵の複製用具の使用を諦めざるを得ず、悪意の第三者による合鍵の複製を防止することができ、シリンダ錠の安全性を格段に高めることができる。
【００２１】
また、請求項４及び５に記載の発明によるシリンダ錠は、鍵孔から薄平の細線を入れ、この細線を仕切板とレバータンブラーとの隙間からタンブラーの自由端側に差込み、その解錠切欠の角度位置を探る上記特許文献２に記載の鍵の複製用具のを使用する際、センサーとしての細線の先端が解錠切欠を包囲する凹陥部に入り込み、以後凹陥部から脱出することができなくなるため、鍵の複製用具の使用を諦めざるを得ず、悪意の第三者による合鍵の複製を防止することができ、シリンダ錠の安全性を格段に高めることができる。
【発明を実施するための最良の形態】
【００２２】
少なくとも１個のレバータンブラー或いはロータリーディスクタンブラーの自由端部に、係止溝や凹陥部を形成したので、鍵の複製用具のセンサーとしての薄平の細線による解錠切欠の角度位置の検知を困難にし、また、その実施も容易である。
【実施例１】
【００２３】
図４乃至図６において符号１１はレバータンブラーを示し、このレバータンブラー１１の自由端部の、少なくとも室内側の面（図示の実施例では両面）に、内筒半径方向に延在し、例えば深さが０．２乃至０．５ｍｍ程度の複数個の係止溝１９、１９が例えばプレス加工により形成されている。
【００２４】
図４に示す実施例においては、各係止溝１９の横断面形状は鋸歯形であり、解錠切欠９の両側に夫々少なくとも１個形成されている。
【００２５】
また、図６に示すように、各係止溝１９はその横断面における垂辺、すなわち、鋸歯形の斜辺ではない辺を解錠切欠９に向けるように形成されている。
【００２６】
上記のように構成された請求項１に記載の発明の一実施例によるシリンダ錠は、図４及び図７に示すように先端をＬ字形に曲げた細いパイプ２１を鍵孔４内に差込み、パイプ２１を通して薄平の細線（以下センサーという）を仕切板３に押圧するようにして繰り出し、次いでパイプ２１を回して細線をタンブラーと仕切板との間に隙間に差し込むと共に解錠切欠９の位置を検知しようとしても、薄平の細線がこの係止溝１９に引っ掛かって係止される。
【００２７】
図７に示すように、センサーは仕切板３の外面に突き当たり、これに沿って繰り出されるので、センサーが係止溝１９に引っ掛かると、一旦センサーを引っ込めないと次の操作ができない。
【００２８】
したがって、係止溝１９、１９にガードされた解錠切欠９の角度位置を検知するには、このシリンダ錠の構造を熟知しているものでも非常に困難であり、実質上不可能であるから、完全な合鍵を得ることができない。なお、ここで合鍵とはスペアキーをいうものとする。
【００２９】
なお、各係止溝１９の横断面形状における頂部の形状は丸みが無くシャープであることが望ましい。それは、係止溝１９の底部に丸みがあると、センサーを強い力で回すことによりセンサーが係止溝から脱出することがあるからである。
【００３０】
また、上記した係止溝１９を全てのレバータンブラー１１に形成することは必要ではない。それは、解錠切欠９の角度位置が一つのタンブラーにおいて不明ならば合鍵を完成することができないからである。
【実施例２】
【００３１】
図８乃至図１０は請求項４に記載の発明の実施例を示し、この実施例は、少なくとも１個のレバータンブラー１１の自由端部の、少なくとも室内側の面（図示の実施例では両面）に、解錠切欠９を包囲する少なくとも１個の凹陥部を形成したものである。
【００３２】
図示の実施例では、タンブラー１１の自由端部の解錠切欠９の両側に２個、及び解錠切欠９より内側、すなわち、内筒の中心に地階方に円弧状の凹陥部２２が形成されている。
【００３３】
この凹陥部２２の断面形状は一様深さ（図示せず）のものでも良いが、図示の実施例では、図１０に示すように、横断面形状が斜辺が長い鋸歯形であり、その垂辺を外側、すなわち、内筒中心から遠い方に向けるようにして形成されている。
【００３４】
また、各凹陥部２２の深さは、例えば０．２乃至０．５ｍｍ程度であり、前記したと同様の理由により、各凹陥部２２の横断面形状における頂部の形状は丸みが無くシャープであることが望ましい。
【００３５】
上記のように構成された請求項４に記載の発明の一実施例によるシリンダ錠は、図７及び図８に示すように先端をＬ字形に曲げた細いパイプ２１を鍵孔４内に差込み、パイプ２１を通してセンサーを仕切板３に押圧するようにして繰り出すと、センサーの先端が凹陥部２２の図１０における下端段部に係止されてそれ以上繰り出すことができなくなる。
【００３６】
これではならじと一旦センサーを引っ込め、また繰り出しても、結局同じ凹陥部或いは他の凹陥部の下端段部に係止され、結局レバータンブラーの自由端部外側端縁にセンサーを到達させることができないため解錠切欠９を探ることができない。
【実施例３】
【００３７】
図３に示すロータリーディスクタンブラー錠において、ロータリーディスクタンブラー１４の自由端部に係止溝１９或いは凹陥部２２を及び係止溝を形成でき、更に、その機能、効果は図４及び図８に示すものと同様であることは明らかであるから、更に詳細な説明及び図示を省略する。
【図面の簡単な説明】
【００３８】
【図１】レバータンブラー錠の縦断面図。
【図２】レバータンブラー錠の横断面図。
【図３】ロータリーディスクタンブラー錠の横断面図。
【図４】請求項１に記載の発明の要部を示すレバータンブラー錠の横断面図。
【図５】請求項１に記載の発明におけるレバータンブラーの正面図。
【図６】そのレバータンブラーの下面図。
【図７】レバータンブラー錠の一部拡大従断面図。
【図８】請求項４に記載の発明の要部を示すレバータンブラー錠の横断面図。
【図９】請求項４に記載の発明におけるレバータンブラーの正面図。
【図１０】そのＸ−Ｘ線による断面図。
【符号の説明】
【００３９】
１  カム溝
２  外筒
３  仕切板
４  鍵孔
５  内筒
６  ロッキングバー
７  スロット
８  バックアップピン
９  解錠切欠
１１  レバータンブラー
１２  支軸
１３  鍵挿通孔
１４  ロータリーディスクタンブラー
１５  合鍵
１６  係合突起
１７  窪み
１９  係止溝
２１  パイプ
２２  凹陥部
【図１】
2005213807.tif 000003
【図２】
2005213807.tif 000004
【図３】
2005213807.tif 000005
【図４】
2005213807.tif 000006
【図５】
2005213807.tif 000007
【図６】
2005213807.tif 000008
【図７】
2005213807.tif 000009
【図８】
2005213807.tif 000010
【図９】
2005213807.tif 000011
【図１０】
2005213807.tif 000012